(57)【要約】【課題】操作レバーを傾倒操作しつつ傾倒操作している手で他の操作することのできる眼科装置を提供する。【解決手段】被検眼Ｅの測定画像を取得する眼情報取得部３３と、被検眼Ｅに対する眼情報取得部３３の位置の調整のために傾倒操作される操作レバー１８と、を備える眼科装置１０である。操作レバー１８を傾倒操作する手における操作可能範囲７１に付加操作ボタン７２が設けられている。【選択図】  図２
2019165999.tif 000002
【特許請求の範囲】
【請求項１】
被検眼の測定画像を取得する眼情報取得部と、
前記被検眼に対する前記眼情報取得部の位置の調整のために傾倒操作される操作レバーと、を備え、
前記操作レバーを傾倒操作する手における操作可能範囲に付加操作ボタンが設けられていることを特徴とする眼科装置。
【請求項２】
前記付加操作ボタンは、前記操作レバーが傾倒可能に設けられた架台における前記操作レバーが設けられた周辺に設けられていることを特徴とする請求項１に記載の眼科装置。
【請求項３】
前記付加操作ボタンは、前記操作レバーに設けられていることを特徴とする請求項１に記載の眼科装置。
【請求項４】
前記付加操作ボタンは、前記操作レバーを中心として左右対称となるように対を為して設けられていることを特徴とする請求項２または請求項３に記載の眼科装置。
【請求項５】
前記付加操作ボタンは、前記測定画像を取得した際の印象を前記測定画像に関連付けて入力することができることを特徴とする請求項１から請求項４までのいずれか１項に記載の眼科装置。
【請求項６】
前記付加操作ボタンは、操作されている時間と、先の操作と後の操作との間隔と、の組み合わせにより、入力する印象の選択が可能であることを特徴とする請求項５に記載の眼科装置。
【請求項７】
請求項５に記載の眼科装置であって、
さらに、検者の音声を取得する音声取得部を備え、
前記付加操作ボタンは、前記音声取得部による音声取得の開始と終了との操作が可能であることを特徴とする眼科装置。
【請求項８】
請求項５に記載の眼科装置であって、
さらに、検者の口元の画像を取得する画像取得部と、前記画像取得部が取得した口元の画像から前記検者の口元の動きを解析する読唇解析部と、を備え、
前記付加操作ボタンは、前記画像取得部による画像取得の開始と終了との操作が可能であることを特徴とする眼科装置。
【請求項９】
前記付加操作ボタンは、前記眼情報取得部が前記測定画像の取得を開始する前までは、前記被検眼の後眼部のピント合わせの開始の操作が可能であることを特徴とする請求項１から請求項８までのいずれか１項に記載の眼科装置。
【請求項１０】
前記付加操作ボタンは、前記眼情報取得部が前記測定画像の取得を行っている間は、前記測定画像の取得を中断する操作が可能であることを特徴とする請求項１から請求項９までのいずれか１項に記載の眼科装置。
【請求項１１】
前記付加操作ボタンにより前記測定画像の取得が中断されると、前記被検眼に対する前記眼情報取得部の位置を調整するアライメント工程における予め定められたステップを行ってから、再び前記眼情報取得部が前記測定画像の取得を行うことを特徴とする請求項１０に記載の眼科装置。
【請求項１２】
請求項１０に記載の眼科装置であって、
さらに、被検者の状態を取得する状態取得部を備え、
前記付加操作ボタンにより前記測定画像の取得が中断されると、前記被検眼に対する前記眼情報取得部の位置を調整するアライメント工程における前記状態取得部が取得した前記被検眼の状態に適合するステップを行ってから、再び前記眼情報取得部が前記測定画像の取得を行うことを特徴とする眼科装置。
【発明の詳細な説明】
【技術分野】
【０００１】
本開示は、眼科装置に関する。
【背景技術】
【０００２】
眼科装置は、例えば光コヒーレンストモグラフィ（ＯＣＴ（Optical Coherence Tomography））のように、複数の測定画像を取得するものがある（例えば、特許文献１参照）。
【０００３】
このような眼科装置は、複数の測定画像を短時間で連続して取得し、その各測定画像を後に確認することで、各測定画像を用いて被検眼の診断を行うことができる。
【先行技術文献】
【特許文献】
【０００４】
【特許文献１】特開２０１７−１５３５４３号
【発明の概要】
【発明が解決しようとする課題】
【０００５】
ここで、各測定画像は、取得する際の状況により意味合いが変化する。これは、例えば、被検者が瞬きをしたり固視が外れたりした際に取得した測定画像の品質が低下するとともに、理想的ではない測定画像であっても測定に理想的な状況とするのが困難な被検者に対して最善の状況で取得したものである場合であることによる。ところが、各測定画像を後に確認する際には、どのような状況で取得したのかを判断することは困難である。
【０００６】
また、眼科装置では、測定画像の取得の際に、一方の手で操作レバーを傾倒操作しつつ、他方の手で被検者を開瞼させていることがある。このため、検者は、他の操作を行うことが困難である。
【０００７】
本開示は、上記の事情に鑑みて為されたもので、操作レバーを傾倒操作しつつ傾倒操作している手で他の操作することのできる眼科装置を提供することを目的とする。
【課題を解決するための手段】
【０００８】
上記した課題を解決するために、本開示の眼科装置は、被検眼の測定画像を取得する眼情報取得部と、前記被検眼に対する前記眼情報取得部の位置の調整のために傾倒操作される操作レバーと、を備え、前記操作レバーを傾倒操作する手における操作可能範囲に付加操作ボタンが設けられていることを特徴とする。
【発明の効果】
【０００９】
本開示の眼科装置によれば、操作レバーを傾倒操作しつつ傾倒操作している手で他の操作することができる。
【図面の簡単な説明】
【００１０】
【図１】本開示に係る眼科装置の一例としての実施例１の眼科装置の全体構成を示す模式的な説明図である。
【図２】眼科装置に設けられた操作レバーおよび付加操作ボタンを示す説明図である。
【図３】眼科装置の制御系の構成を示すブロック図である。
【図４】実施例２の制御系の構成を示すブロック図である。
【図５】実施例３の眼科装置に設けられた操作レバーおよび付加操作ボタンを示す説明図である。
【図６】実施例４の制御系の構成を示すブロック図である。
【図７】実施例５の制御系の構成を示すブロック図である。
【発明を実施するための形態】
【００１１】
以下に、本開示に係る眼科装置の一実施形態としての眼科装置１０の各実施例について図１から図７を参照しつつ説明する。
【実施例１】
【００１２】
本開示に係る眼科装置の一実施形態としての実施例１の眼科装置１０を、図１から図３を用いて説明する。先ず、実施例１の眼科装置１０の全体構成を説明する。
【００１３】
眼科装置１０は、ベース１１と駆動部１２と架台１３とヘッド部１４と額当部１５と顎受部１６と操作部１７と操作レバー１８と表示部１９とを有する。眼科装置１０では、ベース１１に駆動部１２を介して架台１３が設けられ、駆動部１２によりベース１１に対して架台１３が前後左右上下に移動可能とされる。架台１３には、後述する制御部３１や眼情報取得部３３を収容するヘッド部１４が設けられる。ベース１１には、測定時にヘッド部１４に対して被検者（患者）の顔、すなわち被検眼Ｅの位置を固定する額当部１５および顎受部１６が設けられる。その額当部１５は、被検者が額を宛がう箇所となり、顎受部１６は、被検者が顎を載せる箇所となる。この眼科装置１０では、被検者が額当部１５に額を当接させつつ顎受部１６に顎を載せてヘッド部１４に対峙した状態で、被検眼Ｅの検査、観察、撮影等を行うものとされている。
【００１４】
操作部１７は、顎受部１６や後述する眼情報取得部３３の動作や設定等を操作するもので、架台１３に設けられる。操作部１７は、実施例１では、図２に示すように、操作レバー１８の左側に設けられた顎受移動ボタン２１、内部固視標移動ボタン２２、小瞳孔絞りボタン２３、スプリットボタン２４および外部固視標切換ボタン２５と、操作レバー１８の右側に設けられた架台固定ノブ２６と、を有する。顎受移動ボタン２１は、顎受部１６を上下に移動させるもので、上移動ボタン２１ａと下移動ボタン２１ｂとを有する。内部固視標移動ボタン２２は、眼情報取得部３３に設けられた固視標の位置を上下左右に移動させるものである。内部固視標移動ボタン２２は、固視標を初期位置に戻すリセットボタン２２ａと、それを囲むように四方に設けられた上移動ボタン２２ｂと右移動ボタン２２ｃと下移動ボタン２２ｄと左移動ボタン２２ｅと、を有する。
【００１５】
小瞳孔絞りボタン２３は、後述する眼情報取得部３３に設けられる小瞳孔絞りのＯＮまたはＯＦＦ、すなわち小瞳孔絞りを光路上に位置させるか否かの操作のために設けられている。スプリットボタン２４は、眼情報取得部３３において合焦を容易にするためのスプリット指標を被検眼Ｅの眼底に投影するか否かの操作のために設けられている。外部固視標切換ボタン２５は、眼情報取得部３３とは別の外部に設けられた外部固視標のＯＮまたはＯＦＦ、すなわち外部固視標を利用するか否かの操作のために設けられている。架台固定ノブ２６は、架台１３をベース１１に固定するか否か、すなわちベース１１に対する架台１３の移動を可能な状態とする否かの操作のために設けられている。なお、操作部１７に設けられる各種のボタンおよび操作の内容は適宜設定すればよく、実施例１の構成に限定されない。
【００１６】
操作レバー１８は、架台１３に設けられ、実施例１では操作部１７の中央に設けられている。操作レバー１８は、架台１３から立ち上がりつつ傾倒操作が可能とされている。操作レバー１８は、傾倒されるとヘッド部１４の前後左右方向への移動操作となり、軸線を回転中心として回転されるとヘッド部１４の上下方向への移動操作となる。このため、操作レバー１８を傾倒操作および回転操作することにより、後述する眼情報取得部３３を用いて被検眼Ｅの測定を行うべく、額当部１５および顎受部１６に保持された被検者の被検眼Ｅに適合する位置へとヘッド部１４（眼情報取得部３３）をベース１１に対して三次元方向に移動させることができる。操作レバー１８では、頂部にボタンスイッチ１８ａが設けられ、ボタンスイッチ１８ａを押すことで眼情報や測定画像の取得が開始される。
【００１７】
表示部１９は、ヘッド部１４に設けられ、一例として液晶表示装置（ＬＣＤモニタ）で構成してタッチパネル式の表示画面とされている。表示部１９は、後述する制御部３１の制御下で、眼情報取得部３３からの画像データに基づく被検眼Ｅの前眼部像等の画像や、眼情報取得部３３からの各種検査情報等（検者情報、検査条件、検査結果、測定画像等）が表示される。また、表示部１９は、制御部３１の制御下で、眼科装置１０における各種動作のためのソフトウェアキーが表示され、そのソフトウェアキーの操作により被検眼Ｅに対するアライメント、各種検査条件の設定、および表示部１９の調整等の各種動作の実行操作が可能とされている。なお、操作部１７や操作レバー１８による操作は、表示部１９のタッチパネルで同様に行えるものとしてもよい。眼科装置１０では、上記した構成の他に、測定完了信号や測定者からの指示に応じて測定結果を印字するプリンタや、測定結果を外部メモリやサーバーに出力する出力部が設けられる。
【００１８】
ヘッド部１４には、眼科装置１０の各部を統括的に制御する制御部３１が設けられる。制御部３１は、図３に示すように、接続された記憶部３２または内蔵する内部メモリ３１ａに記憶したプログラムを例えばＲＡＭ（Ｒａｎｄｏｍ  Ａｃｃｅｓｓ  Ｍｅｍｏｒｙ）上に展開することにより、適宜操作部１７や操作レバー１８や表示部１９に対する操作に応じて、眼科装置１０の動作を統括的に制御する。実施例１では、内部メモリ３１ａは、ＲＡＭ等で構成され、記憶部３２は、ＲＯＭ（Ｒｅａｄ  Ｏｎｌｙ  Ｍｅｍｏｒｙ）やＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等で構成される。制御部３１は、後述する眼情報取得部３３における測定用の光学系の光源やアライメント用の光学系の光源およびセンサ類が接続され、適宜それらを制御する。制御部３１は、眼情報取得部３３における測定に必要な光学系の動作部が接続され、適宜それらを駆動（移動も含む）させる。制御部３１は、駆動部１２、操作部１７、操作レバー１８および表示部１９に接続され、操作部１７や操作レバー１８や表示部１９（そのタッチパネル）に為された操作や上記のプログラムに従い、眼情報取得部３３で取得した画像や眼特性等の眼情報を表示部１９に適宜表示させる。眼科装置１０では、商用電源から制御部３１に電力が供給され、制御部３１が駆動部１２および眼情報取得部３３に電力を供給する。制御部３１は、駆動部１２や上記した各光源や各動作部を適宜制御する。
【００１９】
ヘッド部１４には、被検眼Ｅの眼情報を取得する眼情報取得部３３が設けられる。その眼情報は、被検眼Ｅの画像（測定画像）や、被検眼Ｅの眼底の画像（測定画像）や、被検眼Ｅの網膜の断層画像（測定画像）や、被検眼Ｅの角膜内皮画像（測定画像）や、被検眼Ｅの屈折力や、被検眼Ｅの角膜形状や、被検眼Ｅの眼圧等をいう。眼情報取得部３３は、眼底の画像を撮影する眼底カメラ、網膜の断層画像を撮影する断層撮影装置(ＯＣＴ)、角膜内皮画像を撮影するスペキュラマイクロスコープ、屈折力を測定するレフラクトメータや波面センサ、角膜形状を測定するケラトメータ、眼圧を測定するトノメータ等が、単独でまたは複数組み合わされて構成される。実施例１の眼情報取得部３３は、少なくとも眼底カメラと断層撮影装置(ＯＣＴ)とを有している。
【００２０】
眼情報取得部３３は、被検眼Ｅの正面画像を取得する眼底カメラユニット４０と、ＯＣＴを実行するためのＯＣＴユニット５０と、を有する。眼底カメラユニット４０は、被検眼Ｅに照明光を照射する照明光学系と、被検眼Ｅからの照明光の戻り光を検出して被検眼Ｅの眼底の２次元画像（眼底像）を撮影する撮影光学系と、を有する。その２次元画像は、観察画像、撮影画像等の正面画像である。観察画像は、近赤外光を用いた動画撮影により得られる動画像である。撮影画像は、フラッシュ光を用いた静止画像である。眼底カメラユニット４０は、撮影合焦駆動部４１と、観察用撮像素子４２と、撮影用撮像素子４３と、ＯＣＴ合焦駆動部４４と、光路長変更部４５と、光スキャナ４６と、アライメント光学部４７と、フォーカス光学部４８と、を有する。
【００２１】
撮影合焦駆動部４１は、眼底カメラユニット４０における撮影光学系の撮影合焦レンズを移動することで、眼底カメラユニット４０における撮影光学系の焦点位置を変更させる。撮影合焦駆動部４１は、撮影光学系の焦点位置を被検眼Ｅの前眼部または眼底に合わせることができる。
【００２２】
観察用撮像素子４２は、眼底カメラユニット４０における撮影光学系を経て被検眼Ｅから戻る撮影照明光の光が受光面に結像されて、その戻り光を検出する。制御部３１は、観察用撮像素子４２が検出した戻り光に基づく画像（観察画像）を表示部１９に表示させる。
【００２３】
撮影用撮像素子４３は、眼底カメラユニット４０における撮影光学系を経て被検眼Ｅから戻る撮影照明光の光が受光面に結像されて、その戻り光を検出する。制御部３１は、撮影用撮像素子４３が検出した戻り光に基づく画像（撮影画像）を表示部１９に表示させる。
【００２４】
ＯＣＴ合焦駆動部４４は、眼底カメラユニット４０において撮影光学系に合流されるＯＣＴ用の光路のＯＣＴ合焦レンズを移動することで、後述する測定光の焦点位置（ビームウェストの位置）を変更させる。光路長変更部４５は、眼底カメラユニット４０のＯＣＴ用の光路の長さ（光路長）を変更する。光路長変更部４５は、眼軸長に応じた光路長補正や、干渉状態の調整等のために光路長を調整する。光スキャナ４６は、眼底カメラユニット４０のＯＣＴ用の光路を通過する測定光の進行方向を変更するもので、被検眼Ｅの瞳孔と光学的に共役な位置に配置される。光スキャナ４６は、２次元走査が可能な部材で形成され、例えばガルバノスキャナが用いられる。
【００２５】
アライメント光学部４７は、被検眼Ｅに対する装置光学系の位置合わせ（アライメント）を行うためのアライメント指標を生成する。アライメント指標（その光）は、被検眼Ｅの角膜で反射されて観察照明光の戻り光と同じ経路を通り観察用撮像素子４２で検出される。その受光像（アライメント指標像）を用いることで、マニュアルアライメントやオートアライメントが実行される。
【００２６】
フォーカス光学部４８は、被検眼Ｅの眼底に対してフォーカスを合わせるためのスプリット指標を生成する。スプリット指標（その光）は、眼底で反射されて観察照明光の戻り光と同じ経路を通り観察用撮像素子４２で検出される。その受光像（スプリット指標像）を用いることで、マニュアルフォーカシングやオートフォーカシングが実行される。
【００２７】
ＯＣＴユニット５０は、眼底のＯＣＴ画像を取得するためのＯＣＴ画像光学系が設けられている。ＯＣＴ画像光学系は、波長可変光源（波長掃引型光源）からの光を測定光と参照光とに分割し、被検眼Ｅからの測定光の戻り光と参照光路を経由した参照光とを干渉させて干渉光を生成し、この干渉光のスペクトル成分を分光器によって検出するように構成されている。ＯＣＴユニット５０からの測定光は、眼底カメラユニット４０内の光路を通じて被検眼Ｅに導かれ、その戻り光は、同じ光路を通じてＯＣＴユニット５０に導かれる。ＯＣＴユニット５０は、光源ユニット５１と、光減衰器（アッテネータ）５２と、偏波調整器（偏波コントローラ）５３と、干渉光撮像素子５４と、を有する。
【００２８】
光源ユニット５１は、出射光の波長を高速で変化させる近赤外波長可変レーザを有する。光源ユニット５１から出力された光は、測定光と参照光とに分割される。光減衰器５２は、参照光の光量を自動で調整する。偏波調整器５３は、光量が調整された参照光の偏光状態を調整する。この偏光状態が調整された参照光は、ファイバカプラに到達する。
【００２９】
測定光は、被検眼Ｅに入射され、被検眼Ｅの様々な深さ位置において散乱・反射される。その被検眼Ｅからの測定光の戻り光は、往路と同じ経路を逆向きに進行してファイバカプラに到達する。測定光と参照光とは、ファイバカプラで合成されて（干渉されて）干渉光とされる。この干渉光は、干渉光撮像素子５４に導かれる。
【００３０】
干渉光撮像素子５４は、一対の干渉光をそれぞれ検出する一対のフォトディテクタを有し、これらによる検出結果の差分を出力する。干渉光撮像素子５４は、各干渉光の各スペクトル成分を検出して電荷に変換し、この電荷を蓄積して検出信号（検出結果）を生成して、制御部３１に接続された画像形成部６１に送る。
【００３１】
画像形成部６１は、干渉光撮像素子５４から入力される検出信号に基づいて、眼底の断層像の画像データを形成する。この処理には、従来のスペクトラルドメインタイプの光コヒーレンストモグラフィと同様に、ノイズ除去（ノイズ低減）、フィルタ処理、分散補償、ＦＦＴ（Fast Fourier Transform）などの処理が含まれている。画像形成部６１は、測定光の各照射位置におけるＡライン（ｚ方向（眼底深度方向）に延びるライン）に沿った１次元画像（Ａライン像）を形成する。さらに、画像形成部６１は、直線的または曲線的に配列された複数の照射位置に対応する複数のＡライン像をその配列に応じて並べた２次元断層像（Ｂスキャン像）を形成してもよい。他のタイプのＯＣＴ装置の場合、画像形成部６１は、そのタイプに応じた公知の処理を実行する。画像形成部６１は、形成した画像（そのデータ）を制御部３１に接続された画像処理部６２に送る。
【００３２】
画像処理部６２は、画像形成部６１で形成された画像に対して各種の画像処理や解析処理を施す。例えば、画像処理部６２は、画像の輝度補正等の各種補正処理を実行する。また、画像処理部６２は、眼底カメラユニット４０により得られた画像（眼底像、前眼部像等）に対して各種の画像処理や解析処理を施す。これにより、眼底の３次元画像データを形成でき、その３次元画像データに基づいて断層像（測定画像）を形成する。
【００３３】
眼情報取得部３３では、測定光の走査態様（スキャンパターン）として、例えば、横スキャン、縦スキャン、十字スキャン、放射スキャン、円スキャン、同心円スキャン、螺旋（渦巻）スキャン等が用いられる。これらの走査態様は、眼底の観察部位（視神経乳頭、黄斑、病変部など）、解析対象（網膜厚など）、走査に要する時間、走査の精密さなどを考慮して選択的に使用される。この走査態様は、２次元走査が可能とされた光スキャナ４６により実行される。このような測定光の走査により、走査線（走査軌跡）に沿う方向と眼底深度方向（ｚ方向）とにより張られる面における断層像（測定画像）を取得することができる。また、走査線の間隔を狭くすることで、前述の３次元画像を取得できる（３次元スキャン）。これらの動作が、ＯＣＴの測定画像を取得するスキャン工程となる。
【００３４】
ここで、眼情報取得部３３は、スキャン位置の補正いわゆるトラッキングすることができる。トラッキングは、被検眼Ｅの眼球運動に合わせて光学系を移動させる制御である。トラッキングを行う場合には、事前にアライメントとフォーカシングが実行される。トラッキングは、例えば観察画像によって被検眼Ｅの動きをリアルタイムで検出し、その検出結果に基づいて装置光学系を移動させることにより、装置光学系の位置を眼球運動に追従させる制御となる。このため、眼情報取得部３３は、被検眼Ｅが眼球運動した場合でも、光学系に対してアライメントおよびフォーカスが合った好適な位置関係を維持できる。
【００３５】
この眼科装置１０では、図２に示すように、操作レバー１８を傾倒操作する手における操作可能範囲７１に付加操作ボタン７２が設けられている。操作可能範囲７１は、操作レバー１８を傾倒操作する手において傾倒操作に用いない指で操作することが可能な範囲である。実施例１では、検者は、親指と中指とで操作レバー１８を挟みつつ人差し指を頂部のボタンスイッチ１８ａに掛けた状態で操作レバー１８を傾倒操作することが一般的であるので、その状態の手における薬指および小指で操作可能な範囲を操作可能範囲７１としている。
【００３６】
また、実施例１では、操作レバー１８を右手で傾倒操作する場合と左手で傾倒操作する場合との双方に対応するために、操作レバー１８の右側および左側のそれぞれに操作可能範囲７１を設定し、それぞれに付加操作ボタン７２を設けている。なお、図２では、斜線を付した範囲として両操作可能範囲７１を示しているが、操作部１７や操作レバー１８の形状に応じて適宜変化するものであり、図２に示す例に限定されない。この両付加操作ボタン７２は、いずれか一方のみを有効な状態とするように表示部１９等で設定可能なものとしてもよく、双方を常に有効な状態としていてもよい。
【００３７】
両付加操作ボタン７２は、両手に対応して設けたものであって、それぞれの役割は同じものとする。このため、以下では単に付加操作ボタン７２と記載する場合もある。付加操作ボタン７２は、実施例１では押し下げ操作が可能とされた単一のボタンとされている。なお、付加操作ボタン７２は、左右の各々の操作可能範囲７１において、押し下げ操作が可能とされた複数のボタンが設けられて構成されていてもよい。付加操作ボタン７２は、複数の断層像（測定画像）の取得の動作を行っている際、各々を取得した状況の入力が可能とされている。この取得した状況とは、ＯＣＴの測定画像の取得に適した状態であったか否かを示すものである。
【００３８】
実施例１の付加操作ボタン７２は、一回押し下げ操作されることが、ＯＣＴの測定画像の取得に適切な状態であることの入力となる。また、付加操作ボタン７２は、比較的長い時間押し下げた状態を維持する押し下げ操作（所謂長押し）されることが、ＯＣＴの測定画像の取得に不適切な状態であることの入力となる。さらに、付加操作ボタン７２は、短時間に二回連続で押し下げ操作されることが、ＯＣＴの測定画像の取得に最適でも不適切でもない等により保留の状態であることの入力となる。この保留の状態は、例えば、理想的ではない測定画像ではあるがこれよりも良い測定画像が取得できるかわからない場合や、測定に理想的な状況とするのが困難な被検者に対して最善と思われる状況で取得したものである場合等のように、同じ測定画像であっても意味合いが異なる場合等に適用することが考えられる。この長押しの時間や二回連続の判断のための時間は、適宜設定できる。なお、付加操作ボタン７２は、単一のボタンの押し下げ操作であっても態様を異なるものとすることで操作が区別できるものであれば、他のやり方としてもよく、実施例１の構成に限定されない。このとき、操作されている時間と、先の操作と後の操作との間隔と、を適宜組み合わせることで、単一のボタンの押し下げ操作であっても、容易にかつ簡易な操作で区別可能にできる。
【００３９】
付加操作ボタン７２は、入力された操作情報を制御部３１に出力する。制御部３１は、付加操作ボタン７２で入力された操作情報を、その入力されていた時に取得していたＯＣＴの測定画像に関連付けて、記憶部３２に記憶させる。このため、付加操作ボタン７２は、検者が測定画像を取得した際の印象に基づく状況の記録を入力することが可能とされている。なお、付加操作ボタン７２は、入力可能な印象の内容や種類は適宜設定すればよく、実施例１の構成に限定されない。
【００４０】
制御部３１は、長押しされて不適切な状態との入力が為されると、その入力されていた時に取得していたＯＣＴの測定画像を削除する。なお、制御部３１は、不適切な状態との入力が為された場合、その入力されていた時に取得していたＯＣＴの測定画像に不適切な状態との情報を関連付けて記憶部３２に記憶させてもよく、実施例１の構成に限定されない。
【００４１】
また、実施例１の付加操作ボタン７２は、スキャン工程を開始する前のアライメント工程において、最適化の開始のための操作（開始操作）を行うことができる。この最適化は、ＯＣＴを実行するために眼科装置１０（制御部３１）が各種設定を最適化するものである。付加操作ボタン７２は、後述するようにアライメント工程において操作レバー１８の傾倒操作により後眼部アライメントを行っている際に押し下げ操作されることで、最適化を開始させる開始操作となる。
【００４２】
さらに、実施例１の付加操作ボタン７２は、スキャン工程を実行している時点において、スキャン工程を中断させる操作（中断操作）を行うことができる。これは、スキャン工程を実行している際に、ＯＣＴの測定画像を適切に取得する観点から、スキャン工程を中止する必要が生じることがあることによる。このような場面としては、例えば、被検者の状況、眼疾患の内容、眼以外の疾患等により、顔が大きくずれたり固視が外れたり瞬きが行われたりすることが考えられる。すると、最後までスキャン工程を実行しても適切なＯＣＴの測定画像が取得できない（品質が低下する）ため、時間を節約するためにスキャン工程を中断して遣り直すことが望ましい。このため、付加操作ボタン７２は、中断操作した時点でスキャン工程を中断させることが可能とされている。この中断操作は、例えば、上記した不適切な状態の入力となる長押し操作よりも長い時間押し下げた状態を維持する押し下げ操作（所謂超長押し）とすることで、上記した３つの印象の入力を可能としつつ区別することができる。なお、中断操作は、上記した３つの印象の入力と区別可能なものであれば、他の操作としてもよく、操作可能範囲７１内に第２の付加操作ボタンを設けるものとしてもよく、実施例１の構成に限定されない。
【００４３】
制御部３１は、付加操作ボタン７２により中断操作が為されると、実行しているスキャン工程を中断して、アライメント工程のうちの後述するＸＹＺの調整、前眼部アライメントおよび後眼部アライメントのうちのいずれかのステップまで戻ってやり直すように制御する。このＸＹＺの調整、前眼部アライメントおよび後眼部アライメントのいずれに戻るのかは、表示部１９等で選択するものとしてもよく、表示部１９等により予め設定していてもよい。実施例１では、後眼部アライメントからやり直すように設定されている。
【００４４】
次に、眼科装置１０の動作について説明する。まず、撮影の準備が行われる。検者は、眼科装置１０を起動し、表示部１９で上記の３次元スキャンを実行する操作すると、制御部３１は、ライブＯＣＴ画像で眼底を観察するための画面を表示部１９に表示させる。検者は、操作レバー１８を用いてヘッド部１４（眼底カメラユニット４０等）を額当部１５および顎受部１６から離れる方向に移動する（ＸＹＺの調整）。それにより、前眼部の観察が可能となる。
【００４５】
椅子に座らせた被検者の顎を顎受部１６に載せるとともに額を額当部１５に宛がわせる。その後の所定の操作により、制御部３１は、眼底カメラユニット４０の観察光源を点灯させ、観察用撮像素子４２からの出力に基づく観察画像（前眼部観察画像）を表示部１９に表示させる。検者は、観察画像のフレームの中心に瞳孔が描出されるように操作レバー１８を傾倒操作してヘッド部１４の位置を調整する（前眼部アライメント）。この位置調整が完了したら、検者は、ヘッド部１４を被検眼Ｅに近接させていく。それにより、観察対象が前眼部から眼底に切り替えられ、眼底の観察画像が表示部１９に表示される。この位置調整および観察画像の取得の動作は、眼科装置１０（制御部３１）が自動でおこなってもよい。
【００４６】
このとき、制御部３１は、アライメント光学部４７を制御してアライメント指標（２つのアライメント輝点）の投影を開始する。観察画像には、２つのアライメント輝点像が描出される。検者は、フレームの中心に提示されたターゲット（括弧マーク等）内に２つのアライメント輝点像が重なって描出されるように、操作レバー１８を傾倒操作してヘッド部１４の位置を調整する（後眼部アライメント）。この位置調整が完了すると、制御部３１によるＯＣＴを実行するための各種設定の最適化が実行可能となる。制御部３１は、操作レバー１８が傾倒操作されている際に付加操作ボタン７２が操作されると、位置調整（後眼部アライメント）が完了して最適化を開始する開始操作が為されたものと判断して、光路長の調整、偏光状態の調整、光量の調整、フォーカスの調整等をして最適化を実行する。このため、上記したＸＹＺの調整、前眼部アライメントおよび後眼部アライメントは、ＯＣＴの測定画像を適切に取得するためのアライメント工程となる。また、開始操作は、被検眼Ｅの後眼部へのピント合わせの開始の操作となる。
【００４７】
最適化の完了後、検者は、フレア混入等の問題が観察画像に発生していないか確認する。問題が発生していないことが確認されたら、検者は、操作レバー１８のボタンスイッチ１８ａを用いて、撮影を開始するための操作を行う。撮影の開始の操作がされると、制御部３１は、ＯＣＴによる現在のスキャン位置を表す画像（測定画像）を観察画像に重畳させる。このとき、制御部３１は、被検眼Ｅの眼底（後眼部）の予備的なＯＣＴ計測により正面断層像を取得し、その正面断層像に基づいて本計測の対象となる断面位置を指定させることもできる。これにより、眼科装置１０では、複数のＯＣＴの測定画像を取得することができる。
【００４８】
このとき、検者は、付加操作ボタン７２を適宜操作することで、測定画像を取得した際の印象を入力することができ、各測定画像に印象を関連付けることができる。また、検者は、被検者が瞬きをする等を確認すると、付加操作ボタン７２で中断操作することで、スキャン工程を中断させることができる。すると、制御部３１は、上記した後眼部アライメントからやり直し、最適化したのちに再びスキャン工程を開始する。これにより、眼科装置１０は、適切な複数の測定画像を取得することができ、眼底の３次元画像データを適宜形成できる。
【００４９】
ここで、検者は、一方の手で被検者を開瞼させつつ他方の手で操作レバー１８を傾倒操作して、上記のように眼科装置１０にＯＣＴの測定画像を取得させることが珍しくない。すると、検者は、両手を使用しており、測定画像を取得した際の印象の入力等の他の操作をすることが困難となる。
【００５０】
しかしながら、眼科装置１０は、操作レバー１８の近傍に設けた付加操作ボタン７２を操作することで印象の入力等をすることができる。その付加操作ボタン７２は、操作レバー１８を傾倒操作する他方の手における操作可能範囲７１に設けられているので、操作レバー１８を傾倒操作したまま他方の手で操作することができる。このため、眼科装置１０は、一方の手で被検者を開瞼させつつ他方の手で操作レバー１８を傾倒操作している場合であっても、測定画像を取得した際の印象の入力等を行うことができる。
【００５１】
本開示に係る眼科装置の実施例１の眼科装置１０は、以下の各作用効果を得ることができる。
【００５２】
眼科装置１０は、操作レバー１８を傾倒操作する手における操作可能範囲７１に付加操作ボタン７２が設けられている。このため、眼科装置１０は、一方の手で被検者を開瞼させつつ他方の手で操作レバー１８を傾倒操作している場合であっても、付加操作ボタン７２を用いることで開瞼および傾倒操作とは異なる操作を行うことができる。これにより、眼科装置１０は、付加操作ボタン７２の操作により測定画像を取得した際の印象の入力を可能とすることで、測定画像に印象を関連付けることができる。
【００５３】
眼科装置１０は、操作レバー１８が傾倒可能に設けられた架台１３における操作レバー１８が設けられた周辺に付加操作ボタン７２が設けられている。このため、眼科装置１０は、簡易な構成で、操作レバー１８を傾倒操作している手で操作できる付加操作ボタン７２を設けることができる。
【００５４】
眼科装置１０は、操作レバー１８を中心として左右対称となるように対を為して付加操作ボタン７２が架台１３に設けられている。このため、眼科装置１０は、操作レバー１８の傾倒操作を右手でする検者であっても左手でする検者であっても、双方に対応することができる。
【００５５】
眼科装置１０は、付加操作ボタン７２への操作により測定画像を取得した際の印象を測定画像に関連付けて入力することができる。このため、眼科装置１０は、簡易に取得した際の印象を測定画像に関連付けることができる。このため、後に測定画像を確認する場合であっても、どのような状況で取得された測定画像であるのかを把握することができ、測定画像を用いた診察等を適切に効率良く行うことができる。このことは、測定を行った検者とは異なる検者が測定画像を見た場合であっても、どのような状況で取得された測定画像であるのかを容易に把握できるので、同一の被検者に対して検者が変わる場合等でも有効である。
【００５６】
眼科装置１０は、付加操作ボタン７２を操作している時間と、付加操作ボタン７２への先の操作と後の操作との間隔と、の組み合わせにより、入力する印象の選択が可能である。このため、眼科装置１０は、簡易に様々な印象を入力できる。
【００５７】
眼科装置１０は、眼情報取得部３３が測定画像の取得（スキャン工程）を開始する前までは、付加操作ボタン７２により被検眼Ｅの後眼部へのピント合わせ（最適化）の開始の操作が可能である。このため、眼科装置１０は、付加操作ボタン７２で様々な操作を行うことができ、利便性が向上されている。
【００５８】
眼科装置１０は、眼情報取得部３３が測定画像の取得を行っている間は、付加操作ボタン７２により測定画像の取得を中断する操作が可能である。このため、眼科装置１０は、付加操作ボタン７２でさらに様々な操作を行うことができるとともに、直ちに測定画像の取得動作を中断することができ、利便性がさらに向上されている。
【００５９】
眼科装置１０は、付加操作ボタン７２により測定画像の取得が中断されると、被検眼Ｅに対する眼情報取得部３３の位置を調整するアライメント工程における予め定められたステップ（実施例１ではＸＹＺの調整、前眼部アライメントおよび後眼部アライメントのうちのいずれか）を行ってから、再び眼情報取得部３３が取得を行う。このため、眼科装置１０は、簡易にかつ総合的に短い時間で、複数のＯＣＴの測定画像を適切に取得することができる。
【００６０】
したがって、本開示に係る眼科装置の一実施例としての眼科装置１０では、操作レバー１８を傾倒操作しつつ傾倒操作している手で他の操作することができる。
【００６１】
なお、付加操作ボタン７２は、実施例１では操作部１７の中央の操作レバー１８の近傍に設けていたが、操作レバー１８を傾倒操作している手で操作可能となる操作可能範囲（７１）に設けるものであれば、他の位置でもよく、実施例１の構成に限定されない。
【００６２】
また、付加操作ボタン７２は、操作レバー１８の左右のそれぞれに設けられているが、いずれか一方のみに設けてもよく、実施例１の構成に限定されない。
【実施例２】
【００６３】
次に、本開示の一実施形態である実施例２の眼科装置１０Ａについて、図４を用いて説明する。眼科装置１０Ａは、実施例１の眼科装置１０から構成の一部を変更したものである。眼科装置１０Ａは、基本的な概念および構成が実施例１の眼科装置１０と同様であるので、等しい構成の個所には同じ符号を付し、詳細な説明は省略する。
【００６４】
実施例２の眼科装置１０Ａは、図４に示すように、新たに状態取得部６３が設けられている。状態取得部６３は、被検者の状態すなわち被検者がＯＣＴの検査を実施するために適切な姿勢を維持しているか否かの状態を取得する。その状態は、例えば、顎を顎受部１６に載せるとともに額を額当部１５に宛がわせた被検者が、被検者が視線を動かしたか否か、被検者が顔の向きを変えたか否か、被検者が額当部１５や顎受部１６から離れて大きく顔を動かしたか否か、等である。
【００６５】
状態取得部６３は、例えば、顎を顎受部１６に載せるとともに額を額当部１５に宛がわせた被検者を、額当部１５および顎受部１６とともに撮影可能なカメラと、カメラが取得した画像を解析する画像解析部と、で形成することができる。このように構成した場合、画像解析部での解析により、被検者の上記した様々な動きを取得できる。
【００６６】
また、状態取得部６３は、例えば、額当部１５および顎受部１６に触れているか否かを検出する接触センサを設けるとともに、眼情報取得部３３で取得した被検眼Ｅの観察画像を用いるものとしてもよい。このように構成した場合であっても、観察画像で視線や被検眼Ｅの位置を確認しつつ額当部１５および顎受部１６で適切に顔が固定さえているか否かを判断することで、被検者の上記した様々な動きを取得できる。
【００６７】
なお、状態取得部６３は、適切な姿勢を維持しているか否かの判断のために被検者の状態を取得するものであれば、上記で例示したものを組み合わせてもよく、他の構成でもよく、実施例２の構成に限定されない。
【００６８】
実施例２の眼科装置１０Ａの制御部３１Ａは、付加操作ボタン７２にスキャン工程の中断操作が為されると、状態取得部６３が取得した被検者の状態に基づいて、アライメント工程のうちのいずれのステップまで戻るのかを判断する。制御部３１Ａは、実施例２では、視線を動かしていたら後眼部アライメントまで戻り、顔の向きをＸＹ方向に変えていたら前眼部アライメントまで戻り、顔を大きくずらしたり額当部１５や顎受部１６から顔を離したりしていたらＸＹＺの調整まで戻ると判断する。これは、視線を動かしている場合には後眼部アライメントを行えばよく、顔の向きをＸＹ方向に変えていたら前眼部アライメントと後眼部アライメントとを行う必要があることによる。また、顔を大きくずらしたり額当部１５や顎受部１６から顔を離したりしていたら、ＸＹＺの調整からすなわちアライメント工程を最初からやり直す必要があることによる。
【００６９】
実施例２の眼科装置１０Ａは、基本的に実施例１の眼科装置１０と同様の構成であるので、実施例１と同様の効果を得られる。
【００７０】
それに加えて、眼科装置１０Ａは、被検者の状態を取得する状態取得部６３を備え、付加操作ボタン７２により測定画像の取得が中断されると、被検眼Ｅに対する眼情報取得部３３の位置を調整するアライメント工程における状態取得部６３が取得した被検眼Ｅの状態に適合するステップを行ってから、再び眼情報取得部３３で測定画像の取得を行う。このため、眼科装置１０Ａは、検者が付加操作ボタン７２により中断の操作をするだけで、アライメント工程において被検者の状態に応じた必要なステップのみを行って再び眼情報取得部３３が測定画像の取得を行うことができる。これにより、眼科装置１０Ａは、簡易な操作のみで、総合的に短い時間で、複数のＯＣＴの測定画像を適切に取得することができる。
【００７１】
したがって、本開示に係る眼科装置としての実施例２の眼科装置１０Ａは、操作レバー１８を傾倒操作しつつ傾倒操作している手で他の操作をすることができる。
【実施例３】
【００７２】
次に、本開示の一実施形態である実施例３の眼科装置１０Ｂについて、図５を用いて説明する。眼科装置１０Ｂは、実施例１の眼科装置１０から構成の一部を変更したものである。眼科装置１０Ｂは、基本的な概念および構成が実施例１の眼科装置１０と同様であるので、等しい構成の個所には同じ符号を付し、詳細な説明は省略する。
【００７３】
実施例３の眼科装置１０Ｂは、図５に示すように、付加操作ボタン７２Ｂを操作レバー１８Ｂに設けている。このため、操作可能範囲７１Ｂは、傾倒操作される操作レバー１８Ｂ自体に設定されていることとなる。
【００７４】
実施例３では、付加操作ボタン７２Ｂは、操作レバー１８Ｂにおける下部において、左右の双方に対を為すように操作レバー１８Ｂから左右に突出して設けられている。これは、操作レバー１８Ｂが、親指と中指とで挟まれつつ人差し指を頂部にボタンスイッチ１８ａに掛けた状態で傾倒操作される際に、利用していない薬指および小指で操作可能な位置を操作可能範囲７１Ｂとしていることによる。そして、付加操作ボタン７２Ｂは、左右の双方に対を為しているので、右手で操作レバー１８Ｂを傾倒操作する検者と左手で操作レバー１８Ｂを傾倒操作する検者との双方に対応することができる。なお、両付加操作ボタン７２Ｂは、いずれか一方のみを有効な状態とするように表示部１９等で設定可能なものとしてもよく、双方を常に有効な状態としていてもよい。
【００７５】
実施例３の眼科装置１０Ｂは、基本的に実施例１の眼科装置１０と同様の構成であるので、実施例１と同様の効果を得られる。
【００７６】
それに加えて、眼科装置１０Ｂは、付加操作ボタン７２Ｂを操作レバー１８Ｂに設けている。このため、眼科装置１０Ｂは、より簡易な構成で付加操作ボタン７２Ｂを設けることができる。また、眼科装置１０Ｂは、傾倒操作の態様に拘わらず操作レバー１８Ｂを操作している手から付加操作ボタン７２Ｂまでの位置関係を等しくできるので、付加操作ボタン７２Ｂの操作を容易なものにできる。さらに、眼科装置１０Ｂは、操作レバー１８Ｂの構成を変更するのみにできるので、従来の眼科装置からの構成の変更を最小限に留めて実現することができる。
【００７７】
したがって、本開示に係る眼科装置としての実施例３の眼科装置１０Ｂは、操作レバー１８Ｂを傾倒操作しつつ傾倒操作している手で他の操作をすることができる。
【００７８】
なお、付加操作ボタン７２Ｂは、実施例３では操作レバー１８Ｂの下部に設けていたが、操作レバー１８Ｂを傾倒操作している手で操作可能となる操作可能範囲（７１Ｂ）に設けるものであれば、操作レバー１８Ｂ上の他の位置でもよく、実施例３の構成に限定されない。
【００７９】
また、付加操作ボタン７２Ｂは、操作レバー１８Ｂの左右のそれぞれに設けられているが、いずれか一方のみに設けてもよく、実施例３の構成に限定されない。
【００８０】
さらに、付加操作ボタン７２Ｂは、操作レバー１８Ｂの左右のそれぞれに単一のボタンが設けられて構成されているが、それぞれが複数のボタンで構成されていてもよく、実施例３の構成に限定されない。
【実施例４】
【００８１】
次に、本開示の一実施形態である実施例４の眼科装置１０Ｃについて、図６を用いて説明する。眼科装置１０Ｃは、実施例１の眼科装置１０から構成の一部を変更したものである。眼科装置１０Ｃは、基本的な概念および構成が実施例１の眼科装置１０と同様であるので、等しい構成の個所には同じ符号を付し、詳細な説明は省略する。
【００８２】
実施例４の眼科装置１０Ｃは、図６に示すように、新たに音声取得部６４が設けられている。音声取得部６４は、検者が発した音声を取得する。この取得したい音声は、測定画像を取得した際の印象を検者が呟いたものである。
【００８３】
音声取得部６４は、検者が発した音声を取得できるものであれば、例えば、ヘッド部１４や操作部１７等に設けた集音マイクで構成することができる。音声取得部６４は、実施例４では、ピンマイクで構成され、検者が身に着けられるものとしている。このため、音声取得部６４は、検者が発した音声をより確実に取得できる。
【００８４】
付加操作ボタン７２Ｃは、音声取得部６４による音声の取得開始と取得終了との操作が可能とされている。このため、眼科装置１０Ｃの制御部３１Ｃは、付加操作ボタン７２Ｃに取得開始の操作が為されると音声取得部６４での音声の取得を開始し、付加操作ボタン７２Ｃに取得終了の操作が為されると音声取得部６４での音声の取得を終了する。そして、制御部３１Ｃは、取得した音声（その音声データ）を、それを取得していた際に取得したＯＣＴの測定画像に関連付けて、記憶部３２に記憶させる。このため、付加操作ボタン７２Ｃは、検者が測定画像を取得した際の印象を音声で入力することが可能とされている。
【００８５】
実施例４の付加操作ボタン７２Ｃは、押し下げ操作している間、すなわち押し下げた状態を維持している間が、音声取得部６４による音声の取得の取得操作としている。このため、付加操作ボタン７２Ｃは、長押しのための押し下げ操作が取得開始の操作となり、その押し下げ操作の解除が取得終了の操作となる。なお、付加操作ボタン７２Ｃにおける音声の取得の取得操作は、適宜設定すればよく、実施例４の例に限定されない。
【００８６】
これに伴い、実施例４の付加操作ボタン７２Ｃは、実施例１の３つの印象の入力の操作を無くすとともに、スキャン工程を実行している時点におけるスキャン工程を中断させる中断操作を実施例１とは異なるものとする。この中断操作は、上記した取得操作と区別できるものであればよく、実施例４では短時間に二回連続で押し下げ操作することを中断操作としている。
【００８７】
実施例４の眼科装置１０Ｃは、基本的に実施例１の眼科装置１０と同様の構成であるので、実施例１と同様の効果を得られる。
【００８８】
それに加えて、眼科装置１０Ｃは、検者の音声を取得する音声取得部６４を備え、付加操作ボタン７２Ｃで音声取得部６４による音声取得の開始と終了との操作を可能としている。このため、眼科装置１０Ｃは、一方の手で被検者を開瞼させつつ他方の手で操作レバー１８を傾倒操作している場合であっても、簡易な操作で音声を取得させることができる。これにより、付加操作ボタン７２Ｃの操作により測定画像を取得した際の印象を呟くことで、測定画像の印象を音声で残すことができる。
【００８９】
したがって、本開示に係る眼科装置としての実施例４の眼科装置１０Ｃは、操作レバー１８を傾倒操作しつつ傾倒操作している手で他の操作をすることができる。
【実施例５】
【００９０】
次に、本開示の一実施形態である実施例５の眼科装置１０Ｄについて、図７を用いて説明する。眼科装置１０Ｄは、実施例１の眼科装置１０から構成の一部を変更したものである。眼科装置１０Ｄは、基本的な概念および構成が実施例１の眼科装置１０と同様であるので、等しい構成の個所には同じ符号を付し、詳細な説明は省略する。
【００９１】
実施例５の眼科装置１０Ｄは、図７に示すように、新たに画像取得部６５と読唇解析部６６とが設けられている。画像取得部６５は、検者の口元（口唇）の映像（そのデータ）を取得する。この取得したい映像は、測定画像を取得した際の印象を検者が呟いたものである。この呟きは、音声を伴う必要はなく、あくまで口元の動きがあればよい。
【００９２】
読唇解析部６６は、画像取得部６５から入力された検者の口元の映像データを読唇画像認識により解析して、検者の口元の動きの解析結果から操作指示の内容を判別する。例えば、読唇解析部６６は、検者の口元の撮影画像データから検出（判別）した検者の口元の動きパターンと、予め記憶されている検者の使用言語に対応した口元の動きパターンとのパターンマッチング処理を行うことにより、画像取得部６５で撮影された検者の口元の動きパターンに対応する文字を認識する。これにより、読唇解析部６６は、検者の口から無声で発せられた操作指示の内容を判別し、この操作指示のテキストデータを制御部３１Ｄに出力する。そして、制御部３１Ｄは、取得したテキストデータを、その元となる口元の映像を取得していた際に取得したＯＣＴの測定画像に関連付けて、記憶部３２に記憶させる。
【００９３】
付加操作ボタン７２Ｄは、画像取得部６５による音声の取得開始と取得終了との操作が可能とされている。このため、眼科装置１０Ｄの制御部３１Ｄは、付加操作ボタン７２Ｄに取得開始の操作が為されると画像取得部６５での映像の取得を開始し、付加操作ボタン７２Ｄに取得終了の操作が為されると画像取得部６５での映像の取得を終了する。そして、制御部３１Ｃは、取得した映像（その映像データ）を、それを取得していた際に取得したＯＣＴの測定画像に関連付けて、記憶部３２に記憶させる。このため、付加操作ボタン７２Ｄは、検者が測定画像を取得した際の印象を口元の動きで入力することが可能とされている。
【００９４】
実施例５の付加操作ボタン７２Ｄは、押し下げ操作している間、すなわち押し下げた状態を維持している間が、画像取得部６５による映像の取得の取得操作としている。このため、付加操作ボタン７２Ｄは、長押しのための押し下げ操作が取得開始の操作となり、その押し下げ操作の解除が取得終了の操作となる。なお、付加操作ボタン７２Ｄにおける映像の取得の取得操作は、適宜設定すればよく、実施例５の例に限定されない。
【００９５】
これに伴い、実施例５の付加操作ボタン７２Ｄは、実施例１の３つの印象の入力の操作を無くすとともに、スキャン工程を実行している時点におけるスキャン工程を中断させる中断操作を実施例１とは異なるものとする。この中断操作は、上記した取得操作と区別できるものであればよく、実施例５では短時間に二回連続で押し下げ操作することを中断操作としている。
【００９６】
実施例５の眼科装置１０Ｄは、基本的に実施例１の眼科装置１０と同様の構成であるので、実施例１と同様の効果を得られる。
【００９７】
それに加えて、眼科装置１０Ｄは、検者の口元の画像を取得する画像取得部６５と、画像取得部６５が取得した口元の画像から検者の口元の動きを解析する読唇解析部６６と、を備え、付加操作ボタン７２Ｄで画像取得部６５による画像取得の開始と終了との操作が可能である。このため、眼科装置１０Ｄは、一方の手で被検者を開瞼させつつ他方の手で操作レバー１８を傾倒操作している場合であっても、簡易な操作により無声で呟いた内容を取得させることができる。これにより、付加操作ボタン７２Ｄの操作により測定画像を取得した際の印象を無声で呟くことで、測定画像の印象を呟いた内容を残すことができる。また、検者は、無声で呟くだけで良いので、被検者に呟きが聞こえることを防止でき、被検者が不審に感じることを防止できる。
【００９８】
したがって、本開示に係る眼科装置としての実施例５の眼科装置１０Ｄは、操作レバー１８を傾倒操作しつつ傾倒操作している手で他の操作をすることができる。
【００９９】
以上、本開示の眼科装置を各実施例に基づき説明してきたが、具体的な構成については各実施例に限られるものではなく、特許請求の範囲の各請求項に係る発明の要旨を逸脱しない限り、設計の変更や追加等は許容される。
【０１００】
例えば、各実施例では、眼底カメラと断層撮影装置(ＯＣＴ)とを有する眼科装置を記載している。しかしながら、複数の測定画像を短時間で連続して取得するものであれば、被検眼Ｅにおける他の眼情報を取得するものでもよく、各実施例の構成に限定されない。
【０１０１】
また、各実施例では、ベース１１に対して移動可能とされた架台１３に操作レバー１８、１８Ｂを設けている。しかしながら、ベース１１に対してヘッド部１４のみが移動可能とされて、ベース１１に対して移動しない架台（１３）に操作レバーが設けられていてもよく、各実施例の構成に限定されない。
【符号の説明】
【０１０２】
１０、１０Ａ、１０Ｂ、１０Ｃ、１０Ｄ  眼科装置      １３  架台      １８、１８Ｂ  操作レバー      ３３  眼情報取得部      ６３  状態取得部      ６４  音声取得部      ６５  画像取得部      ６６  読唇解析部      ７１、７１Ｂ  操作可能範囲      ７２、７２Ｂ、７２Ｃ、７２Ｄ  付加操作ボタン      Ｅ  被検眼
【図１】
2019165999.tif 000003
【図２】
2019165999.tif 000004
【図３】
2019165999.tif 000005
【図４】
2019165999.tif 000006
【図５】
2019165999.tif 000007
【図６】
2019165999.tif 000008
【図７】
2019165999.tif 000009